(57)【要約】【課題】記憶媒体に格納された画像ファイルのうち、観衆に見せたくない画像ファイルが表示されてしまうのを防止することができる画像表示装置を提供する。【解決手段】プロジェクター１に記憶媒体Ｍが装着されたことが検出されると（ステップＳ１００）、記憶媒体Ｍに格納された情報ファイルＦに基づくファイル名一覧の投写画像を表示する（ステップＳ１０６）。【選択図】図４
2015036831.tif 000002
【特許請求の範囲】
【請求項１】
記憶媒体に格納された画像ファイルの画像データに対応する画像を表示する表示手段を備えた画像表示装置であって、
前記画像ファイルのうち、前記記憶媒体に格納された情報ファイルにより指定された画像ファイルのファイル名一覧を表示させ、前記ファイル名一覧の中から選択された画像ファイルの画像データに対応する画像を表示させる制御手段、を備えたことを特徴とする画像表示装置。
【請求項２】
請求項１に記載の画像表示装置において、
前記制御手段は、前記記憶媒体に前記情報ファイルの作成、および前記記憶媒体に格納された前記情報ファイルのファイル名の変更を行うことを特徴とする画像表示装置。
【請求項３】
請求項１または請求項２に記載の画像表示装置において、
前記制御手段は、前記情報ファイルが格納されていない前記記憶媒体が当該画像表示装置に装着されたとき、前記情報ファイルを作成するか否かの確認画面を表示させることを特徴とする画像表示装置。
【請求項４】
記憶媒体に格納された画像ファイルの画像データに対応する画像を表示する表示手段を備えた画像表示装置の制御方法であって、
前記記憶媒体に格納された画像ファイルのうち、前記記憶媒体に格納された情報ファイルにより指定された画像ファイルのファイル名一覧を表示させる一覧表示ステップと、
前記ファイル名一覧の中から選択された画像ファイルの画像データに対応する画像を表示させる制御ステップと、
を有することを特徴とする画像表示装置の制御方法。
【発明の詳細な説明】
【技術分野】
【０００１】
本発明は、画像を表示する画像表示装置、および画像表示装置の制御方法に関する。
【背景技術】
【０００２】
従来、画像を表示する画像表示装置（例えばプロジェクター）において、画像入力端子に入力される外部の画像機器の画像データの他に、メモリーカードスロットに装着されたメモリーカード等の記憶媒体に格納されている画像ファイルの画像データに対応する画像を表示する機能を備えたものが知られている。このような画像表示装置では、パソコン等の機器を接続しなくても、メモリーカード上に格納された画像データに対応する画像を表示することができるので、プレゼンテーションなどにおいて役に立つ。
このような画像表示装置では、メモリーカード上に格納された画像ファイルの一覧を表示し、表示させたい画像ファイルを選択して画像データに対応する画像を表示する。
このとき、プレゼンテーションでは使わず表示しない画像ファイルも一覧に表示されるので、メモリーカードに多くの種類の画像ファイルが存在する場合、表示する画像ファイルを選択するための操作が煩雑になる場合があった。また、観衆には見せない画像ファイルも一覧に表示されてしまうので、ファイル名からどのような画像データが記憶媒体に存在するかを推測されてしまう虞があった。
そこで、文書画像ファイルにインデックス情報を表示して、ファイルの内容をわかりやすくすることにより、ファイルを選択しやすくする技術が開示されている（例えば、特許文献１参照）。
【先行技術文献】
【特許文献】
【０００３】
【特許文献１】特開２００９−２８２６３３号公報
【発明の概要】
【発明が解決しようとする課題】
【０００４】
しかしながら、特許文献１のような画像表示装置では、画像を表示させたい画像ファイルは選択しやすくなるものの、一覧表に表示させたくない画像ファイルが表示されてしまうという問題は解決されなかった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、記憶媒体に格納された画像ファイルの画像データに対応する画像を表示する表示手段を備えた画像表示装置であって、前記画像ファイルのうち、前記記憶媒体に格納された情報ファイルにより指定された画像ファイルのファイル名一覧を表示させ、前記ファイル名一覧の中から選択された画像ファイルの画像データに対応する画像を表示させる制御手段、を備えたことを特徴とする。
【０００７】
本適用例によれば、記憶媒体に格納された画像ファイルのうち、記憶媒体に格納された情報ファイルにより指定された画像ファイルをファイル名一覧の画像として表示する。これにより、画像データに対応する画像を表示させたい画像ファイルが選択しやすくなるとともに、表示させない、観衆に見せたくない画像ファイルをファイル名一覧に表示させないようにすることができる。
【０００８】
［適用例２］上記適用例に記載の画像表示装置において、前記制御手段は、前記記憶媒体に前記情報ファイルの作成、および前記記憶媒体に格納された前記情報ファイルのファイル名の変更を行うことが好ましい。
【０００９】
本適用例によれば、記憶媒体に情報ファイルが存在しない場合に情報ファイルを作成することや、記憶媒体上の情報ファイルの内容を変更することができるので、プレゼンテーションの準備のときなどに予め記憶媒体上の画像ファイルのうち、表示させたい画像ファイルの指定、および指定する画像ファイルの変更が可能となる。
【００１０】
［適用例３］上記適用例に記載の画像表示装置において、前記制御手段は、前記情報ファイルが格納されていない前記記憶媒体が当該画像表示装置に装着されたとき、前記情報ファイルを作成するか否かの確認画面を表示させることが好ましい。
【００１１】
本適用例によれば、情報ファイルが格納されていない記憶媒体が装着されたときに情報ファイルを作成するかどうかの確認画面が表示されるので、ユーザーに記憶媒体の画像ファイルのうち所望の画像ファイルを指定する情報ファイルを作成するかどうか確認させることができる。
【００１２】
［適用例４］本適用例に係る画像表示装置の制御方法は、記憶媒体に格納された画像ファイルの画像データに対応する画像を表示する表示手段を備えた画像表示装置の制御方法であって、前記記憶媒体に格納された画像ファイルのうち、前記記憶媒体に格納された情報ファイルにより指定された画像ファイルのファイル名一覧を表示させる一覧表示ステップと、前記ファイル名一覧の中から選択された画像ファイルの画像データに対応する画像を表示させる制御ステップと、を有することを特徴とする。
【００１３】
本適用例によれば、記憶媒体に格納された画像ファイルのうち、記憶媒体に格納された情報ファイルにより指定された画像ファイルをファイル名一覧の画像として表示する。これにより、表示させたい画像に対応する画像ファイルが選択しやすくなるとともに、表示させない、観衆に見せたくない画像ファイルをファイル名一覧に表示させないようにすることができる。
【図面の簡単な説明】
【００１４】
【図１】実施形態に係るプロジェクターの回路構成を示すブロック図。
【図２】記憶媒体に格納された画像ファイルのファイル名一覧表示の説明図。
【図３】記憶媒体に格納された全画像ファイルのファイル名が表示された投写画像を示す図。
【図４】プロジェクターの動作を示すフローチャート。
【図５】情報ファイルを作成するかの確認画面を示す図。
【発明を実施するための形態】
【００１５】
以下、図面を参照して本発明の一実施形態である画像表示装置としてのプロジェクターについて説明するが、以下の実施形態は特許請求の範囲にかかる発明を限定するものではなく、また、実施形態における特徴の組み合わせの全てが発明の解決手段に必須であるとは限らない。
【００１６】
本実施形態のプロジェクター１の回路構成を、図１のブロック図を用いて説明する。
図１に示すように、プロジェクター１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、データ読取書込手段２７、データ処理手段２８、電源端子３０、電源部３１等で構成されており、これらは図示しない筐体の内部または外面に配置されている。
【００１７】
画像投写手段１０は、表示手段に相当するものであり、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。
【００１８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ対応する液晶ライトバルブ１２Ｒ，１２Ｇ，１２Ｂに入射する。
【００１９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、マトリックス状に配列された複数の画素（図示せず）が形成され、液晶に対して画素毎に駆動電圧を印加可能に構成されている。
【００２０】
液晶駆動手段１４が、入力される画像データに応じた駆動電圧を各画素に印加すると、液晶ライトバルブ１２Ｒ，１２Ｇ，１２Ｂの各画素は、画像データに応じた光透過率に設定される。このため、光源１１から射出された光は、この液晶ライトバルブ１２Ｒ，１２Ｇ，１２Ｂを透過することによって変調され、画像データに応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２１】
本実施形態では、光源として光源ランプ１１ａを用いて投写するプロジェクター１を例示したが、光源としてＬＥＤ（Light emitting diode）光源やレーザー光源などを用いて投写するプロジェクターにも適用することができる。
【００２２】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２３】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２４】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００２５】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、複数の画像入力端子６および記憶媒体Ｍから、画像信号の入力元を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー等がある。
【００２６】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００２７】
光源制御手段２２は、制御手段２０の指示に基づいて、光源１１に対する電力の供給と停止とを制御し、光源１１の点灯、および消灯を切り替える。
【００２８】
画像信号入力手段１８は、複数の画像入力端子６より、ビデオ再生装置やパーソナルコンピューター等、外部の画像出力装置から、図示しないケーブル、又は通信機器などを介して画像信号（画像情報ともいう）、が入力される。また、画像信号入力手段１８には、データ読取書込手段２７およびデータ処理手段２８を介して記憶媒体Ｍに格納された画像ファイルの画像情報が入力される。画像信号入力手段１８に入力された画像信号は、制御手段２０の指示に基づき、画像信号処理手段１７に出力される。
【００２９】
ユーザーが入力操作手段２３の入力切替キーを操作して所望の画像入力端子６の画像情報、または記憶媒体Ｍの画像情報を指定すると、制御手段２０は指定された画像情報が画像信号処理手段１７に出力されるよう、画像信号入力手段１８に指示をする。なお、画像信号入力手段１８は、無線通信や光通信などの受信部を備え、外部機器から無線によって信号を入力する構成にしてもよい。
【００３０】
データ読取書込手段２７は、制御手段２０の指示に基づいて、記憶媒体Ｍに格納されている画像ファイルや情報ファイルの読み込み、および情報ファイルの記憶媒体Ｍへの書き込みを行う。情報ファイルとは、記憶媒体Ｍに格納された画像ファイルのうち、指定された画像ファイルのファイル名の情報が盛り込まれたファイルのことをいう。また、データ読取書込手段２７は、図示しないスロットに記憶媒体Ｍが装着されたことを検出し、制御手段２０に通知する。
制御手段２０は、データ読取書込手段２７によりスロットに記憶媒体Ｍが装着されたことが検出されると、データ読取書込手段２７に指示をし、記憶媒体Ｍに格納された画像ファイルの一覧を取得し、画像投写手段１０により、ファイル名一覧を表示させる。このとき、制御手段２０は、記憶媒体Ｍ内に情報ファイルが存在する場合、情報ファイル内で指定されている画像ファイルのみを一覧表示させる。一方、制御手段２０は、記憶媒体Ｍ内に情報ファイルが存在しない場合、記憶媒体Ｍ内の全画像ファイルのファイル名を一覧表示させる。
次に制御手段２０は、ファイル名一覧において選択された画像ファイルをデータ読取書込手段２７によって読み込ませ、データ処理手段２８によって出力する。
【００３１】
データ処理手段２８は、制御手段２０の指示に基づいて、データ読取書込手段２７から入力される画像ファイル内の画像データをデコード（復号化）し、画像信号入力手段１８に出力する処理等を行う。例えば、画像ファイルがＪＰＥＧファイルの場合、画像データをデコードし、画像を表示するための処理を施す。また、画像ファイルがＰＰＴファイル（プレゼンテーションファイル）の場合、制御手段２０の指示により指定されたページデータをデコードし、表示データを生成する。
【００３２】
画像信号処理手段１７は、制御手段２０の指示に基づき、画像信号入力手段１８から入力される画像信号を、液晶ライトバルブ１２Ｒ，１２Ｇ，１２Ｂの各画素の階調を表す画像データに変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３３】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像データを記憶している。
【００３４】
制御手段２０が、ＯＳＤ画像の重畳表示を指示すると、ＯＳＤ処理手段１６は、必要なＯＳＤ画像データをＯＳＤメモリーから読み出し、投写画像上の所定の位置にＯＳＤ画像が重畳されるように、画像信号処理手段１７から入力される画像データにこのＯＳＤ画像データを合成する。ＯＳＤ画像データが合成された画像データは、液晶駆動手段１４に出力される。
なお、制御手段２０からＯＳＤ画像を重畳する旨の指示がない場合には、ＯＳＤ処理手段１６は、画像信号処理手段１７から入力される画像データを、そのまま液晶駆動手段１４に出力する。
【００３５】
液晶駆動手段１４が、ＯＳＤ処理手段１６より入力される画像データに従って液晶ライトバルブ１２Ｒ，１２Ｇ，１２Ｂを駆動すると、画像データに応じた画像が投写レンズ１３より投写され、スクリーンＳＣの投写面に投写画像が表示される。
【００３６】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３７】
ここで、記憶媒体Ｍに格納されたファイルの表示の仕方について、その一例を図２を用いて説明する。
図２（ａ）は記憶媒体Ｍに格納されたファイルの一覧、同図（ｂ）は情報ファイルＦの記録内容、同図（ｃ）は投写画像、をそれぞれ示す図である。そして同図（ｄ）は情報ファイルが記憶媒体Ｍに格納されていない場合の投写画像を示す図である。
図２（ａ）に示すように、記憶媒体Ｍには６つのファイル「２０１３年度新製品．ｐｐｔ」、「サンプル画像Ａ．ｊｐｇ」、「サンプル画像Ｂ．ｊｐｇ」、「詳細解析データ．ｐｄｆ」、「デモ用テスト画像．ｊｐｇ」、「一覧情報．ｔｘｔ」が記録されている。この６つのファイルのうち、「一覧情報．ｔｘｔ」が情報ファイルＦであり、残りの５つは画像ファイルである。
【００３８】
図２（ｂ）に示すように、情報ファイルＦには「２０１３年度新製品．ｐｐｔ」、「サンプル画像Ａ．ｊｐｇ」、「デモ用テスト画像．ｊｐｇ」の３つの画像ファイルが記されている。図２（ｃ）に示すように、記憶媒体Ｍに格納された画像ファイルのうち、情報ファイルＦに記された画像ファイルのファイル名一覧が投写画像Ｇ１として表示される。
一方、記憶媒体Ｍに情報ファイルＦが存在しない場合、つまり指定された画像ファイルがない場合には、図２（ｄ）に示すように、記憶媒体Ｍに格納された全画像ファイルのファイル名の一覧が投写画像Ｇ２として表示される。
【００３９】
図２（ｃ）、および同図（ｄ）に示すように、ファイル名一覧の投写画像Ｇ１，Ｇ２には画像ファイルのアイコンとファイル名とが表示される。ユーザーはこの投写画像Ｇ１，Ｇ２から入力操作手段２３のカーソルキー、決定キー等を使って画像データを表示させたい画像ファイルを選択する。
【００４０】
そして、例えば、「２０１３年度新製品．ｐｐｔ」が選択されると、この画像ファイルの画像データに対応する画像が投写される。
【００４１】
次に情報ファイルの作成、変更の手順について、図３を用いて説明する。
図３は、記憶媒体Ｍに格納された全画像ファイルのファイル名が表示された投写画像Ｍ２を示す図である。そして、図３において、ファイル名の前についている「○」または「●」は情報ファイルに保存するかどうかを示す記号であり、「○」は保存しない、「●」は保存する、ことを示す。また、ファイル名の先頭についている「→」は選択中のファイルを示す。
ユーザーはファイル名の一覧からカーソル上下キーにより「→」を移動させ、選択するファイルに対応する記号を「●」に反転させ、情報ファイルに保存させるファイルを決定する。
これらの操作を繰り返すことで、情報ファイルが作成される。また、「●」から「○」に反転させることで、選択したファイルを選択しないファイルに変更することができる。なお、図３で示された選択されたファイル一覧（「●」になっているファイル一覧）が図２（ｃ）で示す投写画像Ｇ１として表示される。
【００４２】
次に、本実施形態のプロジェクター１の動作を図４のフローチャートを用いて説明する。
図４に示すように、プロジェクター１に記憶媒体Ｍが装着されたことが検出されると（ステップＳ１００）、制御手段２０は、データ読取書込手段２７に指示し、記憶媒体Ｍに格納されているファイルの情報を取得し（ステップＳ１０１）、ステップＳ１０２に遷移する。
【００４３】
ステップＳ１０２において制御手段２０は、ステップＳ１０１において取得したファイルの情報に基づき、記憶媒体Ｍに情報ファイルＦが格納されているか否かを調べる。情報ファイルＦが格納されている場合（ステップＳ１０２：Ｙ）にはステップＳ１０６に遷移する。情報ファイルＦが格納されていない場合（ステップＳ１０２：Ｎ）には、ステップＳ１０３に遷移する。
【００４４】
ステップＳ１０３において、制御手段２０は、図５に示す、情報ファイルＦを作成するか否かをユーザーに問い合わせる確認の投写画像Ｍ１を表示させ、ステップＳ１０４に遷移する。
【００４５】
ステップＳ１０４において、制御手段２０は、ステップＳ１０３において表示した投写画像Ｍ１に対して、情報ファイルＦを作成する操作を受け付けたか、情報ファイルＦを作成しない操作を受け付けたかを調べる。情報ファイルＦを作成する操作を受け付けた場合（ステップＳ１０４：Ｙ）にはステップＳ１０５に遷移する。情報ファイルＦを作成しない操作を受け付けた場合（ステップＳ１０４：Ｎ）には、ステップＳ１０７に遷移する。
【００４６】
ステップＳ１０５において、制御手段２０は、図３に示すように、記憶媒体Ｍに格納された全画像ファイルのファイル名が表示される投写画像Ｍ２を表示させる。そして、制御手段２０は、ユーザーの入力操作手段２３による指示に応じて情報ファイルＦを作成し、ステップＳ１０６に遷移する。
【００４７】
ステップＳ１０６において、制御手段２０は、情報ファイルＦの記録内容に基づくファイル名一覧の投写画像Ｇ１（図２（ｃ）参照）を画像投写手段１０により表示させ、ステップＳ１０８に遷移する。ステップＳ１０６が一覧表示ステップに相当する。
【００４８】
ステップＳ１０７において、制御手段２０は、記憶媒体Ｍに格納された全画像ファイルのファイル名一覧の投写画像Ｇ２（図２（ｄ）参照）を画像投写手段１０により表示させ、ステップＳ１０８に遷移する。
【００４９】
ステップＳ１０８において、制御手段２０は、ファイル名一覧の投写画像から画像を表示させる画像ファイルをユーザーの入力操作によって選択し、ステップＳ１０９に遷移する。
【００５０】
ステップＳ１０９において、制御手段２０は、ステップＳ１０８において選択した画像ファイルの画像データに対応する画像を画像投写手段１０によって表示させ、ステップＳ１１０に遷移する。ステップＳ１０９が制御ステップに相当する。
【００５１】
ステップＳ１１０において、本動作フローを終了する。
【００５２】
上述した実施形態によれば、以下の効果を得られる。
本実施形態のプロジェクター１によれば、記憶媒体Ｍに格納された画像ファイルのうち、記憶媒体Ｍに格納された情報ファイルＦにより指定された画像ファイルのファイル名一覧を投写画像Ｇ１として表示する。これにより、表示させたい画像に対応する画像ファイルを選択しやすくなるとともに、表示させない、観衆に見せたくない画像に対応する画像ファイルをファイル名一覧の投写画像Ｇ１に表示させないようにすることができる。
【００５３】
また、制御手段２０は、記憶媒体Ｍに情報ファイルＦが存在しない場合に作成する、また記憶媒体Ｍ上の情報ファイルＦの内容を変更することができるので、プレゼンテーションの準備のときなどに予め記憶媒体Ｍ上の画像ファイルのうち、表示させたい画像ファイルを指定、または指定する画像ファイルを変更することが可能となる。
【００５４】
また、情報ファイルＦが格納されていない記憶媒体Ｍが装着されたときに情報ファイルＦを作成するかどうかの投写画像Ｍ１が表示されるので、ユーザーに記憶媒体Ｍの画像ファイルのうち所望の画像ファイルを指定する情報ファイルＦを作成するかどうか確認させることができる。
【００５５】
また、上記実施形態は、以下のように変更してもよい。
（変形例１）
上述した実施形態において、複数の記憶媒体Ｍを識別する識別情報と、それぞれの記憶媒体Ｍに対応する情報ファイルＦをプロジェクター１の記憶手段２１に保存しておくようにしてもよい。これにより、記憶媒体Ｍに情報ファイルがなくても、記憶媒体Ｍを識別し、対応する情報ファイルＦに基づく、ファイル名一覧の投写画像Ｇ１を表示させることができる。
【００５６】
（変形例２）
上述した実施形態では、プロジェクター１を画像表示装置として構成しているが、プロジェクター１に限らず、液晶ディスプレイや有機ＥＬ（electroluminescence）ディスプレイのように、画像を表示する表示面そのものを備える装置を画像表示装置として構成してもよい。この構成の場合、表示面が表示手段に相当する。
【符号の説明】
【００５７】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２２…光源制御手段、２３…入力操作手段、２７…データ読取書込手段、２８…データ処理手段、３０…電源端子、３１…電源部、Ｍ…記憶媒体、Ｆ…情報ファイル、ＳＣ…スクリーン。
【図１】
2015036831.tif 000003
【図２】
2015036831.tif 000004
【図３】
2015036831.tif 000005
【図４】
2015036831.tif 000006
【図５】
2015036831.tif 000007